(57)【要約】【課題】建物を包囲する仮設足場の踏み板列を縦方向も横方向も同じ高さとすることができ、コーナー部で段差ができず、なおかつ手すり用の梁部材も位置も同じ高さ位置に配設することができる仮設足場を提供すること。【解決手段】仮設足場において２つの踏み板列が交差するコーナー部に配置される踏み板３に段差が生じないようにするためにはコーナー用梁６を９０度向きの異なる第１の特定支柱２ｐと第２の特定支柱２ｑの第１及び第２の緊結ホルダー８、９に係止させる必要がある。コーナー用梁６の左右のくさび片１２ａ，１２ｂの全長が第１及び第２の緊結ホルダー８、９の上下幅分ずれて構成されている。このようなコーナー用梁６を踏み板用梁としてコーナー部に配置して踏み板３を架設する。一方、この踏み板３の上方位置に手すりを設ける必要があるのでこのコーナー用梁６を上下反転させて特定支柱２ｐ，２ｓ間に架設する。【選択図】図１
2011111888.tif 000002
【特許請求の範囲】
【請求項１】
建物の周囲において前記建物に近い内側位置に所定間隔で立設配置される複数の支柱からなる第１の支柱列と、前記建物から遠い外側位置に所定間隔で立設配置される複数の支柱からなる第２の支柱列と、隣接する前記支柱間にくさび片を介して係止される複数の梁部材と、前記第１の支柱列の支柱と前記第２の支柱列の支柱間に係止された一対の前記梁部材上に係止片を介して架設される方形形状の踏み板を直線状に連接してなる踏み板列をコーナー部で直交して隣接配置させることで基本的骨格が構築され、
前記各支柱は１８０度対向する外周位置に形成される第１の緊結ホルダーと、同第１の緊結ホルダーと垂直方向に上下幅分上方側にずれるととともに周方向に９０度ずれた位置に形成される第２の緊結ホルダーから構成される１又は２以上の緊結ポジションを有し、ほぞとほぞ穴の関係で上下方向に直列に連結され、
前記踏み板は前記支柱の前記第１の緊結ホルダー間に係止された前後一対の前記梁部材間に架設され、
前記第１の支柱列及び前記第２の支柱列内においてそれぞれ隣接する前記支柱の前記踏み板よりも上方に形成された前記第２の緊結ホルダー間に手すり用の前記梁部材が係止された仮設足場であって、
２つの前記踏み板列が交差するコーナー部において一方の列の前方を塞ぐように配置される他方の列のコーナー位置に配置される前記踏み板の末端側の前記係止片が支持されるコーナー用梁部材は、その本体の両端において左右にそれぞれ上下両方向に突起するくさび片を備え、左右の同くさび片の全長が前記第１及び第２の緊結ホルダーの上下幅分ずれて構成されており、一端側の前記くさび片がコーナー部に配置された前記第１及び第２のいずれの支柱列にも属する第１の特定支柱の第２の緊結ホルダーに係止されるとともに他端側の前記くさび片が前記第２の支柱列の端に位置する第２の特定支柱の第１の緊結ホルダーに係止され、その係止状態で水平に延出され、前記コーナー用梁部材に架設された前記踏み板は隣接する他の前記踏み板と同高さに水平に配設され、
前記コーナー用梁部材の上部位置には同コーナー用梁部材を上下反転させるとともに前後を入れ替えた状態（以下、反転状態とする）で一端側の前記くさび片が前記支柱の第１の緊結ホルダーに係止されるとともに他端側の前記くさび片が前記支柱の第２の緊結ホルダーに係止され、その係止状態で水平に延出されて手すり用の前記梁部材と同高さに配設されることを特徴とする仮設足場の構造。
【請求項２】
その本体の両端において左右にそれぞれ上下両方向に突起するくさび片を備え、左右の同くさび片の全長が前記第１及び第２の緊結ホルダーの上下幅分ずれて構成された第２のコーナー用梁部材を、前記コーナー部の内側に配設された前記第１の支柱列の第３の特定支柱と前記他方の列のコーナー位置に配置される前記踏み板の基端側を支持する前記梁部材が係止される前記第１の支柱列側の第４の特定支柱との間において前記反転状態で一端側の前記くさび片を前記支柱の第１の緊結ホルダーに係止させるとともに他端側の前記くさび片を前記支柱の第２の緊結ホルダーに係止させ、その係止状態で水平に延出されて手すり用の前記梁部材と同高さに配設されることを特徴とする請求項１に記載の仮設足場の構造。
【請求項３】
前記第２のコーナー用梁部材は請求項１の前記コーナー用梁部材と同じ構成であることを特徴とする請求項２に記載の仮設足場の構造。
【発明の詳細な説明】
【技術分野】
【０００１】
本発明は支柱と梁部材と踏み板とを組み合わせた基本的骨格からなる仮設足場の構造に関するものである。
【背景技術】
【０００２】
建築用の仮設足場においては所定の間隔で立設された単管支柱と、梁部材とを縦横に組み合わせ梁部材に踏み板を架設することで基本的骨格を構築するようにしている。より具体的には建物に近い内側位置に所定間隔で複数の支柱からなる第１の支柱列を立設配置し、建物から遠い外側位置に所定間隔で複数の支柱からなる第２の支柱列を立設配置し、２つの支柱列を建物の周りに平行に周回させ、内側と外側の支柱の間に梁部材を架設し、更に隣接する梁部材に踏み板を架設するようにし、直線状に連接された踏み板列をコーナー部で直交させるように配置している。このような建築用仮設足場の一例として特許文献１及び特許文献２を挙げる。
【先行技術文献】
【特許文献】
【０００３】
【特許文献１】特開２００５−１８８０２３号公報
【特許文献２】特開平３−６１０４９号公報
【発明の概要】
【発明が解決しようとする課題】
【０００４】
これら特許文献１や２に開示されている単管支柱は梁部材を係止するための緊結ポジションを備えている。図５に示すように一般に緊結ポジション１００には１８０度対向する外周位置に形成される第１の緊結ホルダー１０１と、第１の緊結ホルダー１０１と垂直方向に上下幅分上方側にずれるととともに周方向に９０度ずれた位置に形成される第２の緊結ホルダー１０２の２種類のホルダーが形成されている。
図６は従来のこのような緊結ポジション１００の支柱１０５を使用した仮設足場の模式的な平面図である。このように従来においては単管支柱はすべて緊結ホルダー１０１，１０２の向きは統一されている。このように緊結ホルダー１０１，１０２の向きを統一して配置しないと、コーナー位置に配置される単管支柱に係止される梁部材を互いに向きが９０度異なる単管支柱間に架設させなければならなくなる。つまり梁部材を異なる高さの緊結ホルダー１０１，１０２間に配設しなければならなくなってしまうからである。
【０００５】
しかし、そのために従来の仮設足場ではいくつかの課題が生じることとなっていた。
例えばこの図６に示すように、方向の異なる２つの踏み板列が交差するコーナー部では第１の緊結ホルダー１０１に架設された梁部材としての踏み板用梁１０６Ａと第２の緊結ホルダー１０２に架設された踏み板用梁１０６Ｂとでは高さが違うため当然にそれら踏み板用梁１０６Ａ，１０６Ｂに支持される踏み板１０７の高さも異なることとなってしまう。つまり、踏み板列は縦方向と横方向で異なる高さとなるため、コーナー部の踏み板１０７に段差ができてしまうわけである。
また、踏み板１０７から手すりとして使用される梁部材（以下、手すり用梁１０８）までの高さが踏み板列によって異なってしまう問題もあった。
図７は従来の仮設足場のコーナー部付近の斜視図である。図７に示すように、従来では縦横のいずれかの方向（図までは横方向）に低い側の第１の緊結ホルダー１０１間に踏み板用梁１０６を架設してこの踏み板用梁１０６に踏み板１０７を架設している（以下、この低い位置にある踏み板を１０７Ａとする）。一方、これと交差する方向の高い側の第２の緊結ホルダー１０２間に踏み板用梁１０６を架設してこの踏み板用梁１０６に踏み板１０７を架設している（以下、この高い位置にある踏み板を１０７Ｂとする）。
一般に仮設足場では踏み板列に沿ってこれを包囲するように手すり用梁１０８が架設されるわけであるが、この図７に示すように低い位置にある踏み板１０７Ａでは必然的に第２の緊結ホルダー１０２側に手すり用梁１０８は取り付けられることとなる。このときの高さ、つまり踏み板１０７Ａと手すり用梁１０８の間隔をＤ１とする。そうすると、間隔Ｄ１を基準にみると高い位置に架設される踏み板１０７Ｂでは間隔Ｄ１に対して対応する間隔はＤ２あるいはＤ３とされることとなる。
しかし、間隔Ｄ２は低い位置の踏み板１０７Ａに対して高い位置の踏み板１０７Ｂはその高さ分だけ間隔が狭くなってしまう。また、間隔Ｄ３は更に手すり用梁１０８が第１の緊結ホルダー１０１に取り付けられていることから、より間隔は狭くなってしまう。手すりの高さに高い低いがあるのは好ましくなく、できればいずれの踏み板１０７Ａ，１０７Ｂからも同じ高さで配置されることが好ましい。緊結ポジション１００の間隔や緊結ホルダー１０１，１０２のずれを考慮すると一般に好ましい高さは間隔Ｄ１程度と考えられており、従来の仮設足場で間隔Ｄ２や間隔Ｄ３をより広くしたい（つまりより手すり位置を高くしたい）という要請があった。
本発明は上記課題を解決するためのものである。その目的は、建物を包囲する仮設足場の踏み板列を縦方向も横方向も同じ高さとすることができ、コーナー部で段差ができず、なおかつ手すり用の梁部材も位置も同じ高さ位置に配設することができる仮設足場を提供することにある。
【課題を解決するための手段】
【０００６】
上記課題を解決するために第１の手段では、建物の周囲において前記建物に近い内側位置に所定間隔で立設配置される複数の支柱からなる第１の支柱列と、前記建物から遠い外側位置に所定間隔で立設配置される複数の支柱からなる第２の支柱列と、隣接する前記支柱間にくさび片を介して係止される複数の梁部材と、前記第１の支柱列の支柱と前記第２の支柱列の支柱間に係止された一対の前記梁部材上に係止片を介して架設される方形形状の踏み板を直線状に連接してなる踏み板列をコーナー部で直交して隣接配置させることで基本的骨格が構築され、前記各支柱は１８０度対向する外周位置に形成される第１の緊結ホルダーと、同第１の緊結ホルダーと垂直方向に上下幅分上方側にずれるととともに周方向に９０度ずれた位置に形成される第２の緊結ホルダーから構成される１又は２以上の緊結ポジションを有し、ほぞとほぞ穴の関係で上下方向に直列に連結され、前記踏み板は前記支柱の前記第１の緊結ホルダー間に係止された前後一対の前記梁部材間に架設され、前記第１の支柱列及び前記第２の支柱列内においてそれぞれ隣接する前記支柱の前記踏み板よりも上方に形成された前記第２の緊結ホルダー間に手すり用の前記梁部材が係止された仮設足場であって、
２つの前記踏み板列が交差するコーナー部において一方の列の前方を塞ぐように配置される他方の列のコーナー位置に配置される前記踏み板の末端側の前記係止片が支持されるコーナー用梁部材は、その本体の両端において左右にそれぞれ上下両方向に突起するくさび片を備え、左右の同くさび片の全長が前記第１及び第２の緊結ホルダーの上下幅分ずれて構成されており、一端側の前記くさび片がコーナー部に配置された前記第１及び第２のいずれの支柱列にも属する第１の特定支柱の第２の緊結ホルダーに係止されるとともに他端側の前記くさび片が前記第２の支柱列の端に位置する第２の特定支柱の第１の緊結ホルダーに係止され、その係止状態で水平に延出され、前記コーナー用梁部材に架設された前記踏み板は隣接する他の前記踏み板と同高さに水平に配設され、
前記コーナー用梁部材の上部位置には同コーナー用梁部材を上下反転させるとともに前後を入れ替えた状態（以下、反転状態とする）で一端側の前記くさび片が前記支柱の第１の緊結ホルダーに係止されるとともに他端側の前記くさび片が前記支柱の第２の緊結ホルダーに係止され、その係止状態で水平に延出されて手すり用の前記梁部材と同高さに配設されるようにしたことをその要旨とする。
【０００７】
このような構成では縦横方向のいずれの踏み板列も低い方の第１の緊結ホルダーに係止された梁部材に支持されることとなるため、すべての踏み板を低い位置で統一した高さ位置で配置できることとなる。その際には、２つの踏み板列が交差するコーナー部において一方の列の前方を塞ぐように配置される他方の列のコーナー位置に配置される踏み板を支持するための梁部材は第１と第２の緊結ホルダー間に係止する必要がある。
本発明ではその本体の両端において左右にそれぞれ上下両方向に突起するくさび片を備え、左右の同くさび片の全長が前記第１及び第２の緊結ホルダーの上下幅分ずれて構成されているコーナー用梁部材を使用するため、高さの異なる第１の特定支柱と第２の特定支柱の第１及び第２の緊結ホルダー間に係止させても水平を保つことができる。一方、コーナー部以外の位置では第２の緊結ホルダー間に手すり用の梁部材が係止されているが、コーナー部では他方の列のコーナー位置に配置される踏み板の末端に配置されるべき手すりとしてこのコーナー用梁部材を基準となる向きに対して反転させて第１の特定支柱と第２の特定支柱の第１及び第２の緊結ホルダー間に係止させているため、他の手すり用梁部材と同じ手すりの高さを確保することができる。
【０００８】
また、第２の手段では第１の手段に加え、その本体の両端において左右にそれぞれ上下両方向に突起するくさび片を備え、左右の同くさび片の全長が前記第１及び第２の緊結ホルダーの上下幅分ずれて構成された第２のコーナー用梁部材を、前記コーナー部の内側に配設された前記第１の支柱列の第３の特定支柱と前記他方の列のコーナー位置に配置される前記踏み板の基端側を支持する前記梁部材が係止される前記第１の支柱列側の第４の特定支柱との間において前記反転状態で一端側の前記くさび片を前記支柱の第１の緊結ホルダーに係止させるとともに他端側の前記くさび片を前記支柱の第２の緊結ホルダーに係止させ、その係止状態で水平に延出されて手すり用の前記梁部材と同高さに配設されることをその要旨とする。
コーナー部の内側に配設された第１の支柱列の第３の特定支柱と一方の列の前方を塞ぐように配置される他方の列のコーナー位置に配置される踏み板の基端側を支持する梁部材が係止される第１の支柱列側の第４の特定支柱との間に手すり用の梁部材を配設する場合にも第１と第２の緊結ホルダー間に係止する必要がある。そのため、第２のコーナー用梁部材をこのように反転状態（基準となる向きに対して上下反転させるとともに前後を入れ替えた状態）で係止させることで他の手すり用梁部材と同じ手すりの高さを確保することができる。
また、第３の手段では第２の手段に加え、前記第２のコーナー用梁部材は請求項１の前記コーナー用梁部材と同じ構成であることをその要旨とする。
この位置に配置される第２のコーナー用梁部材は上記のような踏み板の末端側の前記係止片が支持されるコーナー用梁部材とまったく同じ構成でもよく、支柱の間隔に応じた長さのものを適宜選択してもよい。
【発明の効果】
【０００９】
上記各請求項の発明の仮設足場では、踏み板列を縦方向も横方向も同じ高さとすることができ、コーナー部で段差ができず、なおかつ手すり用の梁部材も位置も同じ高さ位置に配設することができることとなる。
【図面の簡単な説明】
【００１０】
【図１】本発明の一実施例の仮設足場のコーナー部の斜視図。
【図２】同じ実施例の仮設足場に使用されるコーナー用梁部材であって（ａ）は正面図、（ｂ）は平面図、（ｃ）は斜視図。
【図３】同じ実施例の仮設足場の一部とされるコーナー部の模式的な平面図。
【図４】（ａ）及び（ｂ）は同じ実施例のコーナー用梁部材を第１及び第２の緊結ホルダーに対してそれぞれ基本状態と反転状態で係止させた際の踏み板との間隔の違いを説明する説明図。
【図５】単管支柱の緊結ポジション付近を拡大した斜視図。
【図６】従来の仮設足場の一部とされるコーナー部付近の模式的な平面図。
【図７】従来の仮設足場のコーナー部付近の斜視図。
【発明を実施するための形態】
【００１１】
以下、本発明を具体化した実施例について図面に基づいて説明する。
図１及び図３に示すように、仮設足場１は公知の支柱２と公知の踏み板３、踏み板３が架設される梁部材としての公知の踏み板用梁４及び梁部材としての公知の手すり用梁５を組み合わせ、更にこれらの構成部材にコーナー用梁６が組み合わされている。尚、図示しないが仮設足場１に斜材や階段等の他の足場要素が組み合わされてもよい。
支柱２は建物に近い内側位置に所定間隔で複数の支柱２からなる第１の支柱列Ｓ１と、建物から遠い外側位置に所定間隔で複数の支柱２からなる第２の支柱列Ｓ２から構成されている。本実施例では第１の支柱列Ｓ１における支柱２の間隔と第１及び第２の支柱列Ｓ１，Ｓ２の間隔は２：１に設定されている。
【００１２】
１本の支柱２は本体パイプの外周の３か所に緊結ポジション７が設けられている。緊結ポジション７は１８０度対向する外周位置に形成される第１の緊結ホルダー８と、第１の緊結ホルダー８と垂直方向に上下幅分上方側にずれるととともに周方向に９０度ずれた位置に形成される第２の緊結ホルダー９の２種類のホルダーから構成されている。図１では１本の支柱２のみ図示しているが、支柱２はほぞとほぞ穴の関係で上下方向に直列に連結され連結された状態で各緊結ポジション７は等間隔に配置されることとなる。支柱２は建物の各面に対して第１の緊結ホルダー８側が正対するように配置されている。
【００１３】
上下３か所の緊結ポジション７に対して最下部の緊結ポジション７の第１の支柱列Ｓ１と第２の支柱列Ｓ２の間であって第１の緊結ホルダー８には踏み板用梁４が係止されている。前後一対の踏み板用梁４には長方形形状の踏み板３が架設されている。踏み板３は長手方向に連接されて一直線状の踏み板列を構成する。本実施例では図３に示すように横方向の踏み板列Ｐ１に対して縦方向の踏み板列Ｐ２が塞ぐような配列とされている。第１の支柱列Ｓ１と第２の支柱列Ｓ２のそれぞれ隣接する支柱２間において最上部の緊結ポジション７の第２の緊結ホルダー９には手すり用梁５が同じ高さで係止されている。
ここに踏み板列がコーナー部において一方の列の前方を塞ぐように他方の列が配置されることから特殊な配置となる支柱がある。図３において第１の支柱列Ｓ１にも第２の支柱列Ｓ２にもカウントできる位置にある支柱を第１の特定支柱２ｐとする。また、これと隣接する縦方向の踏み板列Ｐ２の第２の支柱列Ｓ２の端部位置にある支柱を第２の特定支柱２ｑとする。第２の特定支柱２ｑは同時に横方向の踏み板列Ｐ１の第２の支柱列Ｓ２の延長上に存在する。また、コーナー部の内側位置、つまり横方向の踏み板列Ｐ１の第１の支柱列Ｓ１の端部位置にある支柱を第３の特定支柱２ｒとする。第３の特定支柱２ｒは同時に縦方向の踏み板列Ｐ２の第１の支柱列Ｓ１の列内に存在する。また、第３の特定支柱２ｒを挟んで第１の特定支柱２ｐの対向位置にある支柱、つまり縦方向の踏み板列Ｐ２の末端の踏み板３の基部側の第１の支柱列Ｓ１の支柱を第４の特定支柱２ｓとする。
【００１４】
図２（ａ）〜（ｃ）に示すように、コーナー用梁６は本体１１の両端に上下方向にそれぞれ延出する第１及び第２のくさび片１２ａ，１２ｂを備えている。両くさび片１２ａ，１２ｂは図１２（ｂ）のように第１のくさび片１２ａが上下均等の延出量であるところ、第２のくさび片１２ｂは第１の緊結ホルダー８と第２の緊結ホルダー９のずれと同等のずれ量でオフセットされている。第１のくさび片１２ａのいずれか一方の延出量は上記公知の踏み板用梁４及び手すり用梁５のくさび片と同じ延出量である。本実施例では第２の緊結ホルダー９の本体１１から遠距離にある側のくさび片１２先端を第１の挿入端Ｔ１とし、近距離側を第２の挿入端Ｔ２とする。
【００１５】
図１に示すように、第１の特定支柱２ｐの最下部の緊結ポジション７の第２の緊結ホルダー９と第２の特定支柱２ｑの最下部の緊結ポジション７の第１の緊結ホルダー８の間にはコーナー用梁６が係止されている。図４に示すようにコーナー用梁６は第１の特定支柱２ｐ側には第２のくさび片１２ｂの第２の挿入端Ｔ２側が挿入されており、第２の特定支柱２ｑ側には第１のくさび片１２ａのが挿入されている。
この結果、コーナー用梁６は踏み板用梁４と同高さに配設されることとなる。つまり、第２の特定支柱２ｑ側の第１のくさび片１２ａは元々踏み板用梁４と同じ条件の取り付け位置であり、第１の特定支柱２ｐ側の第２のくさび片１２ｂは高い位置にある第２の緊結ホルダー９に挿入されているものの、第２のくさび片１２ｂがオフセットされてそのマイナスのオフセット量によって本体１１が低い位置に保持されることとなるため、差し引きでコーナー用梁６は踏み板用梁４と同じ高さで水平に延出されるわけである。本実施例ではこのようにコーナー用梁６の第２のくさび片１２ｂの第２の挿入端Ｔ２側が下向きの状態をもって基準となる向きとする。コーナー用梁６と隣接する踏み板用梁４の間には踏み板３が架設されている。
【００１６】
図１に示すように、第１の特定支柱２ｐの最上部の緊結ポジション７の第２の緊結ホルダー９と第２の特定支柱２ｑの最上部の緊結ポジション７の第１の緊結ホルダー８の間には基準となる向きに対して反転したコーナー用梁６が係止されている。図４に示すようにコーナー用梁６は２の特定支柱２ｑ側には第１のくさび片１２ａが挿入されており、第２の特定支柱２ｑ側には第２のくさび片１２ｂの第１の挿入端Ｔ１側が挿入されている。
この結果、コーナー用梁６は手すり用梁５と同高さに配設されることとなる。つまり、第１の特定支柱２ｐ側の第１のくさび片１２ａは元々手すり用梁５と同じ条件の取り付け位置であり、第２の特定支柱２ｑ側の第２のくさび片１２ｂは低い位置にある第１の緊結ホルダー８に挿入されているものの、第２のくさび片１２ｂがオフセットされてそのオフセット量によって本体１１が高い位置に保持されることとなるため、差し引きでコーナー用梁６は手すり用梁５と同じ高さで水平に延出されるわけである。
【００１７】
図１に示すように、第３の特定支柱２ｐの最上部の緊結ポジション７の第１の緊結ホルダー８と第４の特定支柱２ｓの最上部の緊結ポジション７の第２の緊結ホルダー９の間には基準となる向きに対して反転したコーナー用梁６が係止されている。コーナー用梁６は３の特定支柱２ｒ側には第２のくさび片１２ｂの第１の挿入端Ｔ１側が挿入されており、第４の特定支柱２ｓ側には第１のくさび片１２ａが挿入されている（図４の上段と同じパターン）。
この結果、コーナー用梁６は手すり用梁５と同高さに配設されることとなる。
つまり、第４の特定支柱２ｓ側の第１のくさび片１２ａは元々手すり用梁５と同じ条件の取り付け位置であり、第３の特定支柱２ｒ側の第２のくさび片１２ｂは低い位置にある第１の緊結ホルダー８に挿入されているものの、第２のくさび片１２ｂがオフセットされてそのオフセット量によって本体１１が高い位置に保持されることとなるため、差し引きでコーナー用梁６は手すり用梁５と同じ高さで水平に延出されるわけである。
【００１８】
上記実施例のような構成の仮設足場１では次のような効果が奏されることとなる。
（１）すべての踏み板３が低い位置で同じ高さで配設されることとなるため、従来のようにコーナー部で段差が生じてしまうということがない。
（２）踏み板３を架設するための梁部材は左右同じ高さでなくてはならないが、コーナー部では２方向の踏み板列Ｐ１，Ｐ２が一方を塞ぐように配置されることから、隣接する２本の支柱２の向きが統一されないこととなってしまい、その結果通常の踏み板用梁４を使用したのでは同じ高さにならないこととなるが、コーナー用梁６を使用することによって、高さの違いを克服できることとなった。
（３）従来ならば高い位置に配設されるべき踏み板３を低い位置に配置することで段差はなくなるものの、コーナー部での手すりの位置もこれに併せて他の手すり用梁５と同高さに配設することが好ましい。本実施例では踏み板用に使用したコーナー用梁６をそのまま反転させて使用するだけで他の手すり用梁５と同高さに配設することができるので、複数の種類のコーナー用梁６を用意する必要はなく実用的である。
（４）第３の特定支柱２ｐの最上部の緊結ポジション７の第１の緊結ホルダー８と第４の特定支柱２ｓの最上部の緊結ポジション７の第２の緊結ホルダー９の間に手すりを配置するためにやはり反転したコーナー用梁６が係止することができるため他の種類（つまり本体１１の長さの異なるもの）のコーナー用梁６を用意する必要はなく実用的である。
【００１９】
上記実施例は、以下のように具体化されてもよい。
・上記仮設足場１は一例であり、他のサイズの踏み板３や支柱２の間隔の上記とは異なる足場を構築することも可能である。
・本実施例では第１の支柱列Ｓ１における支柱２の間隔と第１及び第２の支柱列Ｓ１，Ｓ２の間隔は２：１に設定されており、そのため第３の特定支柱２ｐと第４の特定支柱２ｓの間にも共通するコーナー用梁６を使用することができたが、必ずしもこのような間隔でなくともよい。
・その他、本発明の趣旨を逸脱しない態様で実施することは自由である。
【符号の説明】
【００２０】
１…仮設足場、２…支柱、２ｐ〜２ｓ…第１〜第４の特定支柱、３…踏み板、４…梁部材としての踏み板用梁、５…梁部材としての手すり用梁、６…コーナー用梁部材としてのコーナー用梁、７…緊結ポジション、８…第１の緊結ホルダー、９…第２の緊結ホルダー、Ｐ１，Ｐ２…踏み板列、Ｓ１…第１の支柱列、Ｓ２…第２の支柱列。
【図１】
2011111888.tif 000003
【図２】
2011111888.tif 000004
【図３】
2011111888.tif 000005
【図４】
2011111888.tif 000006
【図５】
2011111888.tif 000007
【図６】
2011111888.tif 000008
【図７】
2011111888.tif 000009